(57)【要約】【課題】  移動機のＴＰＣ誤判定を低減することができる送信電力制御システムを提供する。【解決手段】  基地局１−１〜１−３は送信電力制御を行う場合、移動機２からの品質情報を基に送信電力制御を行い、移動機２に電力制御情報を通知する。基地局１−２，１−３は移動機２からの通知がノンプライマリ・セルであるので、移動機２へのＤＰＤＣＨの送信を切り、ＴＰＣビットの送信を停止する。基地局１−１は移動機２からの通知がプライマリ・セルであるので、移動機２への送信電力制御をそのまま続行する。【選択図】      図２                                                  
2005277610.tif 000002
【特許請求の範囲】
【請求項１】
移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御システムであって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信を停止する手段を前記複数の基地局各々に有することを特徴とする送信電力制御システム。
【請求項２】
接続時に前記複数の基地局のうちの有効な基地局を示すプライマリ・セルが前記移動機から通知された時に前記ＴＰＣ信号の送信電力を通信路の伝搬状況に合わせて増大させる手段を前記複数の基地局各々に含むことを特徴とする請求項１記載の送信電力制御システム。
【請求項３】
移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御システムであって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信と上り通信チャネルのＤＰＤＣＨ（Ｄｅｄｉｃａｒｅｄ  Ｐｈｙｓｉｃａｌ  Ｄａｔａ  ＣＨａｎｎｅｌ）の受信フレームにいくつのトランスポートチャネルが多重されているか及び各トランスポートチャネルがどのトランスポートフォーマットを使用しているかを示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号の送信とを停止する手段と、接続時に前記複数の基地局のうちの有効な基地局を示すプライマリ・セルが前記移動機から通知された時に前記ＴＰＣ信号及び前記ＴＦＣＩ信号の送信電力を通信路の伝搬状況に合わせて増大させる手段とを前記複数の基地局各々に有することを特徴とする送信電力制御システム。
【請求項４】
移動機が自局を含む複数の基地局とのソフトハンドオーバ状態時において、前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う基地局であって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信を停止する手段を有することを特徴とする基地局。
【請求項５】
接続時に前記複数の基地局のうちの有効な基地局を示すプライマリ・セルが前記移動機から通知された時に前記ＴＰＣ信号の送信電力を通信路の伝搬状況に合わせて増大させる手段を含むことを特徴とする請求項４記載の基地局。
【請求項６】
移動機が自局を含む複数の基地局とのソフトハンドオーバ状態時において、前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う基地局であって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信と上り通信チャネルのＤＰＤＣＨ（Ｄｅｄｉｃａｒｅｄ  Ｐｈｙｓｉｃａｌ  Ｄａｔａ  ＣＨａｎｎｅｌ）の受信フレームにいくつのトランスポートチャネルが多重されているか及び各トランスポートチャネルがどのトランスポートフォーマットを使用しているかを示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号の送信とを停止する手段と、接続時に前記複数の基地局のうちの有効な基地局を示すプライマリ・セルが前記移動機から通知された時に前記ＴＰＣ信号及び前記ＴＦＣＩ信号の送信電力を通信路の伝搬状況に合わせて増大させる手段とを有することを特徴とする基地局。
【請求項７】
移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御方法であって、前記複数の基地局各々の側に、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信を停止するステップを有することを特徴とする送信電力制御方法。
【請求項８】
前記複数の基地局各々の側に、接続時に前記複数の基地局のうちの有効な基地局を示すプライマリ・セルが前記移動機から通知された時に前記ＴＰＣ信号の送信電力を通信路の伝搬状況に合わせて増大させるステップを含むことを特徴とする請求項７記載の送信電力制御方法。
【請求項９】
移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御方法であって、前記複数の基地局各々の側に、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信と上り通信チャネルのＤＰＤＣＨ（Ｄｅｄｉｃａｒｅｄ  Ｐｈｙｓｉｃａｌ  Ｄａｔａ  ＣＨａｎｎｅｌ）の受信フレームにいくつのトランスポートチャネルが多重されているか及び各トランスポートチャネルがどのトランスポートフォーマットを使用しているかを示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号の送信とを停止するステップと、接続時に前記複数の基地局のうちの有効な基地局を示すプライマリ・セルが前記移動機から通知された時に前記ＴＰＣ信号及び前記ＴＦＣＩ信号の送信電力を通信路の伝搬状況に合わせて増大させるステップとを有することを特徴とする送信電力制御方法。
【発明の詳細な説明】
【技術分野】
【０００１】
本発明は送信電力制御システム、基地局及びそれらに用いる送信電力制御方法に関し、特にＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）通信方式を用いた携帯電話システムにおける送信電力制御方法に関する。
【背景技術】
【０００２】
Ｗ−ＣＤＭＡ通信方式を用いた携帯電話システムでは、無線回線容量の増大を図るとともに、移動機のバッテリの消費電力を抑えるために、できる限り電力を低くして送信する送信電力制御方式として、クローズドループ送信電力制御を行っている。
【０００３】
このクローズドループ送信電力制御では、移動機で想定した受信品質に基づいて基地局の送信電力を制御し、基地局で測定した受信品質によって移動機の送信電力を制御する。
【０００４】
上り回線の送信電力制御としては、基地局が上り通信チャネルの希望波受信電力と干渉波受信電力とを測定し、ＳＩＲ（Ｓｉｇｎａｌ  ｔｏ  Ｉｎｔｅｒｆｅｒｅｎｃｅ  ｐｏｗｅｒ  Ｒａｒｉｏ：希望波受信電力対干渉波受信電力比）を算出する。このＳＩＲと予め設定された目標値とを比較し、その比較結果に基づいてＴＰＣ（Ｔｒａｎｓｍｉｔ  Ｐｏｗｅｒ  Ｃｏｎｔｒｏｌ）コマンドが決定され、そのＴＰＣコマンドが下り通信チャネル（ＤＬ＿ＤＰＣＨ：Ｄｏｗｎ  Ｌｉｎｋ＿Ｄｅｄｉｃａｔｅｄ  Ｐｈｙｓｉｃａｌ  ＣＨａｎｎｅｌ）に含められて移動機に対して送信される。
【０００５】
例えば、ＳＩＲ値が目標値よりも大きな場合には、ＴＰＣコマンドが“０”とされ、移動機に対して上り通信チャネルの送信電力を下げることを要求する。また、ＳＩＲ値が目標値よりも小さな場合には、ＴＰＣコマンドが“１”とされ、移動機に対して上り通信チャネルの送信電力を上げることを要求する。
【０００６】
移動機はこの下り受信チャネルに含まれるＴＰＣコマンドの値に基づいて、その基地局に対する上り通信チャネルの送信電力を制御する。この上り通信チャネルの送信電力の制御は、一回の制御によって増加あるいは減少する電力量（変動量）が規定されている（例えば、特許文献１参照）。
【０００７】
また、移動機の上り通信チャネルの送信電力には、上限値と下限値とが決められており、ＴＰＣコマンドの値に基づいて送信電力が下限値よりも小さくなるような場合には送信電力を下限値に設定し、送信電力が上限値よりも大きくなるような場合には送信電力を上限値に設定する。
【０００８】
さらに、Ｗ−ＣＤＭＡ通信方式では、異なる拡散符号を用いて複数の受信機が同一の周波数で通信を行う。したがって、移動機は複数のセルまたはセクタにまたがって基地局と同時に通信を行う、いわゆるソフトハンドオーバが可能である。
【０００９】
移動機が複数の基地局と接続された場合の伝送経路例を図２に示す。図２に示すように、移動機２は、複数の基地局１−１〜１−３と接続される場合、複数の基地局１−１〜１−３からそれぞれの電力制御情報が通知される。
【００１０】
【特許文献１】特開２００２−２４７６２６号公報
【発明の開示】
【発明が解決しようとする課題】
【００１１】
しかしながら、上述した従来の送信電力制御では、例えば、図２の基地局１−１がＴＰＣコマンド＝“０”、基地局１−２がＴＰＣコマンド＝“１”、基地局１−３がＴＰＣコマンド＝“１”として移動機２に電力制御情報を通知した場合、移動機２はＴＰＣビットを誤判定してしまうという問題がある。
【００１２】
また、送信電力制御情報を伝送しているＴＰＣビットには、符号化による情報伝送の保護がなされておらず、基地局と移動機との間の伝搬路におけるマルチパスフェージング、干渉、雑音等の影響を直接受け易いことから、移動機は基地局から送られたＴＰＣビットを誤判定する場合が生じ易いという問題がある。
この場合、従来の送信電力制御では、移動機の送信電力を無用に上げてしまい、送信電力が上限値に張り付いてしまうと、移動機のバッテリ電力を過剰に消費してしまうという問題がある。
【００１３】
また、上記の場合とは逆に、従来の送信電力制御では、必要以上に移動機の送信電力を下げてしまい、下限値に張り付いてしまうと、基地局との通信が切れてしまうという問題がある。
【００１４】
さらに、従来の送信電力制御では、複数の基地局から下り通信チャネル（ＤＬ＿ＤＰＣＨ）としてＴＰＣビットを送信しており、図２に示すような移動機２から離れた場所にある基地局１−２及び基地局１−３では、基地局側で受信電力レベルを測定して下り送信電力を上げるため、基地局１−１より大きな電力を送信する必要があり、基地局１−２及び基地局１−３では無用に受信電力を遠くの移動機２に割り当てることによって、容量劣化の原因となるとともに、干渉の増大を引き起こしている。
【００１５】
これに対して、Ｗ−ＣＤＭＡ通信方式では、ソフトハンドオーバ時における電力制御方法としてＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ：サイト選択ダイバーシティ電力制御）がある。
【００１６】
ＳＳＤＴでは、複数の基地局とのソフトハンドオーバ状態において、移動機が複数の基地局のうちの一つの基地局を選択して下り受信を行い、他の基地局からの送信を止めることによって、下りの干渉量の増大を防ぐとともに、ネットワーク側の負荷の増大を防ぐことが可能になる。
【００１７】
しかしながら、ＳＳＤＴ方式において、基地局が下り送信を止めるのは、ＤＰＤＣＨ（Ｄｅｄｉｃａｒｅｄ  Ｐｈｙｓｉｃａｌ  Ｄａｔａ  ＣＨａｎｎｅｌ）のみである。送信電力制御としては、上述した複数の基地局間での通常のＴＰＣ制御動作を行うため、移動機は複数の基地局と接続した場合にＴＰＣを誤判定するという問題がある。
【００１８】
そこで、本発明の目的は上記の問題点を解消し、移動機のＴＰＣ誤判定を低減することができる送信電力制御システム、基地局及びそれらに用いる送信電力制御方法を提供することにある。
【課題を解決するための手段】
【００１９】
本発明による送信電力制御システムは、移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御システムであって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信を停止する手段を前記複数の基地局各々に備えている。
【００２０】
本発明による他の送信電力制御システムは、移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御システムであって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信と上り通信チャネルのＤＰＤＣＨ（Ｄｅｄｉｃａｒｅｄ  Ｐｈｙｓｉｃａｌ  Ｄａｔａ  ＣＨａｎｎｅｌ）の受信フレームにいくつのトランスポートチャネルが多重されているか及び各トランスポートチャネルがどのトランスポートフォーマットを使用しているかを示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号の送信とを停止する手段と、接続時に前記複数の基地局のうちの有効な基地局を示すプライマリ・セルが前記移動機から通知された時に前記ＴＰＣ信号及び前記ＴＦＣＩ信号の送信電力を通信路の伝搬状況に合わせて増大させる手段とを前記複数の基地局各々に備えている。
【００２１】
本発明による基地局は、移動機が自局を含む複数の基地局とのソフトハンドオーバ状態時において、前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う基地局であって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信を停止する手段を備えている。
【００２２】
本発明による他の基地局は、移動機が自局を含む複数の基地局とのソフトハンドオーバ状態時において、前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う基地局であって、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信と上り通信チャネルのＤＰＤＣＨ（Ｄｅｄｉｃａｒｅｄ  Ｐｈｙｓｉｃａｌ  Ｄａｔａ  ＣＨａｎｎｅｌ）の受信フレームにいくつのトランスポートチャネルが多重されているか及び各トランスポートチャネルがどのトランスポートフォーマットを使用しているかを示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号の送信とを停止する手段と、接続時に前記複数の基地局のうちの有効な基地局を示すプライマリ・セルが前記移動機から通知された時に前記ＴＰＣ信号及び前記ＴＦＣＩ信号の送信電力を通信路の伝搬状況に合わせて増大させる手段とを備えている。
【００２３】
本発明による送信電力制御方法は、移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御方法であって、前記複数の基地局各々の側に、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信を停止するステップを備えている。
【００２４】
本発明による他の送信電力制御方法は、移動機と複数の基地局とがソフトハンドオーバ状態時において、前記複数の基地局各々が前記移動機に対してＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）方式の送信電力制御を行う送信電力制御方法であって、前記複数の基地局各々の側に、受信レベルの低いノンプライマリ・セルが前記移動機から通知された時に前記移動機における上り通信チャネルの送信電力制御を指示するＴＰＣ（Ｔｒａｎｓｍｉｔ  Ｐｏｗｅｒ  Ｃｏｎｔｒｏｌ）信号の送信と上り通信チャネルのＤＰＤＣＨ（Ｄｅｄｉｃａｒｅｄ  Ｐｈｙｓｉｃａｌ  Ｄａｔａ  ＣＨａｎｎｅｌ）の受信フレームにいくつのトランスポートチャネルが多重されているか及び各トランスポートチャネルがどのトランスポートフォーマットを使用しているかを示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号の送信とを停止するステップと、接続時に前記複数の基地局のうちの有効な基地局を示すプライマリ・セルが前記移動機から通知された時に前記ＴＰＣ信号及び前記ＴＦＣＩ信号の送信電力を通信路の伝搬状況に合わせて増大させるステップとを備えている。
【００２５】
すなわち、本発明の送信電力制御システムは、ＣＤＭＡ（Ｃｏｄｅ  Ｄｉｖｉｓｉｏｎ  Ｍｕｌｔｉｐｌｅ  Ａｃｃｅｓｓ：符号分割多元接続）移動体通信システムにおいて、複数の基地局の接続時に有効な基地局以外（受信レベルの低い基地局）のＴＰＣビット送信を基地局側で止めることによって、移動機のＴＰＣ誤判定を低減することを特徴とする。
【００２６】
本発明の送信電力制御システムでは、移動機が複数の基地局と接続しているハンドオーバ時において、ＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ：サイト選択ダイバーシティ電力制御）方式に、さらにＤＰＣＣＨ（Ｄｅｄｉｃａｒｅｄ  Ｐｈｙｓｉｃａｌ  Ｃｏｎｔｒｏｌ  ＣＨａｎｎｅｌ）であるＴＰＣ（Ｔｒａｎｓｍｉｔ  Ｐｏｗｅｒ  Ｃｏｎｔｒｏｌ）ビットの送信を止めることによって、ＴＰＣの誤判定を減らし、通信品質の劣化を防ぐことを特徴とする。
【００２７】
これによって、本発明の送信電力制御システムでは、複数の基地局との接続時に有効な基地局（プライマリ・セル）以外（受信レベルの低い基地局）のＴＰＣビット送信を基地局側で止めることによって、移動機のＴＰＣ誤判定を低減することを実現し、ＴＰＣ誤判定による上り送信電力の上限値への張り付きによる移動機のバッテリの浪費を防ぐこと、または下限値への張り付きによる基地局との通信の切断を防ぐことが可能となる。
【００２８】
また、本発明の送信電力制御システムでは、複数の基地局との接続時に有効な基地局（プライマリ・セル）以外（受信レベルの低い基地局）のＴＰＣビット送信を基地局側で止めることによって、ノンプライマリ・セルの容量劣化とともに、通信路の干渉の増大を防ぐことが可能となる。
【発明の効果】
【００２９】
本発明は、以下に述べるような構成及び動作とすることで、移動機のＴＰＣ誤判定を低減することができるという効果が得られる。
【発明を実施するための最良の形態】
【００３０】
次に、本発明の実施例について図面を参照して説明する。図１は本発明の一実施例による基地局の構成を示すブロック図である。図１において、基地局１はアンテナ１１と、送受信共用器（ＤＵＰ：ｄｕｐｌｅｘｅｒ）１２と、受信部１３と、ユーザデータ分離部１４と、品質情報検出部１５と、送信制御部１６と、送信電力設定部１７と、変調符号化部１８と、信号合成部１９と、送信部２０とを含んで構成されている。尚、基地局１の呼制御部分、音声入出力部分、表示部分については、公知の技術が適用可能であるので、それらの構成及び動作についての説明は省略する。
【００３１】
受信部１３はアンテナ１１及び送受信共用器１２を介して受信した信号［ＤＰＣＨ（ＵＬ：Ｕｐ  Ｌｉｎｋ）等］をユーザデータ分離部１４に送出する。ユーザデータ分離部１４は受信部１３からの受信信号をユーザ情報（音声信号、画像信号等）と制御情報［ＣＱＩ（Ｃｈａｎｎｅｌ  Ｑｕａｌｉｔｙ  Ｉｎｄｉｃａｔｉｏｎ：下り回線品質情報）情報等］とに分離し、ユーザ情報を上述した基地局１の呼制御部分、音声出力部分、表示部分に送出し、制御情報を品質情報検出部１５に送出する。
【００３２】
品質情報検出部１５はユーザデータ分離部１４からの制御情報の中からＣＱＩ情報を検出し、その検出結果を送信制御部１６に通知する。送信制御部１６は品質情報検出部１５からのＣＱＩ情報とユーザデータとを基に移動機（図示せず）へのユーザデータの送信を制御する。その際、送信制御部１６は品質情報検出部１５からのＣＱＩ情報を基に送信電力設定部１７を制御してユーザデータの送信を行う。
【００３３】
信号合成部１９は変調符号化部１８で変調符号化されたユーザデータを合成し、送信部２０及び送受信共用器１２を介してアンテナ１１から発信する。その際、送信部２０は送信電力設定部１７によって設定された電力に基づいて移動機への送信を行う。
【００３４】
本実施例ではＣＱＩ情報とともに移動機から通知されるプライマリ・セルまたはノンプライマリ・セルの通知を基に、ノンプライマリ・セルと判定した時にＤＰＤＣＨ（Ｄｅｄｉｃａｒｅｄ  Ｐｈｙｓｉｃａｌ  Ｄａｔａ  ＣＨａｎｎｅｌ）の送信を切るとともに、ＤＰＣＣＨ（Ｄｅｄｉｃａｒｅｄ  Ｐｈｙｓｉｃａｌ  Ｃｏｎｔｒｏｌ  ＣＨａｎｎｅｌ）であるＴＰＣ（Ｔｒａｎｓｍｉｔ  Ｐｏｗｅｒ  Ｃｏｎｔｒｏｌ）ビットの送信を止める。
【００３５】
ここで、プライマリ・セルは接続時に有効な基地局を示し、ノンプライマリ・セルは受信レベルの低い基地局を示している。また、ノンプライマリ・セルと判定した時にＤＰＤＣＨの送信を切る制御は、ＳＳＤＴ（Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ：サイト選択ダイバーシティ電力制御）方式によるものである。
【００３６】
図２は本発明の一実施例による送信電力制御システムの構成を示すブロック図である。図２において、本発明の一実施例による送信電力制御システムは複数の基地局１−１〜１−３と、移動機２とから構成されている。
【００３７】
移動機２は複数の基地局１−１〜１−３と接続される場合、複数の基地局１−１〜１−３からそれぞれの電力制御情報が通知される。例えば、基地局１−１がＴＰＣコマンド＝“０”、基地局１−２がＴＰＣコマンド＝“１”、基地局１−３がＴＰＣコマンド＝“１”として移動機２に電力制御情報を通知した場合、移動機２はＴＰＣビットを誤判定してしまう。
【００３８】
移動機２から離れた場所にある基地局１−２及び基地局１−３では、基地局側で受信電力レベルを測定して下り送信電力を上げるため、基地局１−１より大きな電力を送信する必要があり、基地局１−２及び基地局１−３では無用に受信電力を遠くの移動機２に割り当てることとなる。
【００３９】
本実施例では、基地局１−１〜１−３を上記の図１に示す基地局１と同様の構成とし、移動機から通知されるプライマリ・セルまたはノンプライマリ・セルの通知を基に、ノンプライマリ・セルと判定した時にＤＰＤＣＨの送信を切るとともに、ＤＰＣＣＨであるＴＰＣビットの送信を止めることで、上記の問題を解決している。
【００４０】
図３はＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式を用いた携帯電話システムにおける個別下り物理チャネル（ＤＬ＿ＤＰＣＨ：Ｄｏｗｎ  Ｌｉｎｋ＿Ｄｅｄｉｃａｔｅｄ  Ｐｈｙｓｉｃａｌ  ＣＨａｎｎｅｌ）の信号フレーム構成を示す図である。
【００４１】
図３において、ＤＬ＿ＤＰＣＨの信号フレームは１５のスロット＃０〜＃１４からなり、各スロット＃ｉは、Ｄａｔａ＃１信号２１と、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号２２と、ＴＰＣ信号２３と、Ｄａｔａ＃２信号２４と、Ｐｉｌｏｔ信号２５とから構成されている。
【００４２】
移動機２は接続中の基地局１−１〜１−３から送られてきたＴＰＣ信号２３（Ｄｏｗｎ  Ｌｉｎｋ＿ＴＰＣ）によって、送信電力を上げるかまたは下げるように制御される。ＴＦＣＩ信号２２は上り通信チャネルのＤＰＤＣＨの受信フレームにいくつのトランスポートチャネルが多重されているか、また各トランスポートチャネルがどのトランスポートフォーマットを使用しているかを示す情報である。
【００４３】
図４は複数の基地局１−１〜１−３とのソフトハンドオーバ時におけるＳＳＤＴ方式の電力制御の信号フォーマットを示す図である。図４において、移動機２に一番近い距離にあり、移動機２での下り通信受信レベルが最も大きい基地局（＃１）１−１をプライマリ・セルとし、他の基地局（＃２，＃３）１−２，１−３をノンプライマリ・セルとして移動機２が判断した場合、その判断結果を基地局１−１〜１−３に対して上り通信によって通知する。
【００４４】
基地局１−１〜１−３はその通知を受けて、ノンプライマリ・セルと判定された基地局１−２，１−３が移動機２へのＤＰＤＣＨの送信を切る。基地局１−２のＤａｔａ＃１信号４１及びＤａｔａ＃２信号４４の送信、基地局１−３のＤａｔａ＃１信号５１及びＤａｔａ＃２信号５４の送信をそれぞれ止める。これにより、本実施例では、下り干渉量の増大を防ぐとともに、ネットワークの負荷を低減させることができる。
【００４５】
図５は本発明の一実施例による複数の基地局１−１〜１−３と移動機２とのソフトハンドオーバ時におけるＳＳＤＴ方式の電力制御の信号フォーマットを示す図であり、図６は図１の基地局１によるソフトハンドオーバ時の電力制御を示すフローチャートである。これら図１〜図６を参照して本発明の一実施例による送信電力制御について説明する。以下、基地局１−１〜１−３を基地局１として説明する。
【００４６】
基地局１は送信電力制御を行う場合、移動機２からの品質情報を基に送信電力制御を行い（図６ステップＳ１）、移動機２に電力制御情報を通知する（図６ステップＳ２）。
【００４７】
移動機２は、上述したように、一番近い距離にありかつ下り通信受信レベルが最も大きい基地局をプライマリ・セルとし、他の基地局をノンプライマリ・セルとし、その判断結果を基地局１に対して上り通信によって通知する。この移動機におけるプライマり・セル及びノンプライマリ・セルの決定はＳＳＤＴ方式において公知であるので、その説明は省略する。
【００４８】
基地局１は移動機２からの通知がノンプライマリ・セルの場合（図６ステップＳ３）、移動機２へのＤＰＤＣＨの送信を切り、ＴＰＣビットの送信を停止する［図５（ｂ），（ｃ）参照］（図６ステップＳ４）。
【００４９】
基地局１は移動機２からの通知がプライマリ・セルの場合（図６ステップＳ３）、あるいは移動機２へのＤＰＤＣＨの送信を切り、ＴＰＣビットの送信を停止すると、送信電力制御が終了でなければ（図６ステップＳ５）、ステップＳ１の処理に戻り、送信電力制御が終了であれば（図６ステップＳ５）、その制御を終了する。
【００５０】
このように、本発明の一実施例では、複数の基地局１−１〜１−３とのＳＳＤＴ方式の電力制御において、ノンプライマリ・セルのＤＰＤＣＨの送信停止だけでなく、ＤＰＣＣＨのＴＰＣビットの送信をも停止することによって、移動機２がプライマリ・セルのみでＴＰＣビットによるＴＰＣ判定制御を行うことで、他のノンプライマリ・セルの影響を受けないので、ＴＰＣ誤判定を低減させることができる。
【００５１】
図７は本発明の他の実施例による複数の基地局とのソフトハンドオーバ時におけるＳＳＤＴ方式の電力制御の信号フォーマットを示す図であり、図８は本発明の他の実施例による基地局におけるソフトハンドオーバ時の電力制御を示すフローチャートである。本発明の他の実施例は図１に示す本発明の一実施例による基地局と同様の構成となっており、図２に示す本発明の一実施例による送信電力制御システムと同様の構成となっている。これら図１と図２と図７と図８とを参照して本発明の他の実施例による送信電力制御について説明する。以下、基地局１−１〜１−３を基地局１として説明する。
【００５２】
基地局１は送信電力制御を行う場合、移動機２からの品質情報を基に送信電力制御を行い（図８ステップＳ１１）、移動機２に電力制御情報を通知する（図８ステップＳ１２）。
【００５３】
移動機２は、上述したように、一番近い距離にありかつ下り通信受信レベルが最も大きい基地局をプライマリ・セルとし、他の基地局をノンプライマリ・セルとし、その判断結果を基地局１に対して上り通信によって通知する。この移動機におけるプライマり・セル及びノンプライマリ・セルの決定はＳＳＤＴ方式において公知であるので、その説明は省略する。
【００５４】
基地局１は移動機２からの通知がノンプライマリ・セルの場合（図８ステップＳ１３）、移動機２へのＤＰＤＣＨの送信を切り、ＴＰＣビットの送信を停止する［図７（ｂ），（ｃ）参照］（図８ステップＳ１４）。
【００５５】
基地局１は移動機２からの通知がプライマリ・セルの場合（図８ステップＳ１３）、移動機２へのＤＰＣＣＨのＴＰＣ信号の送信電力を上げる［図７（ａ）参照］（図８ステップＳ１５）。
【００５６】
基地局１は移動機２へのＤＰＤＣＨの送信を切り、ＴＰＣビットの送信を停止すると、あるいは移動機２へのＤＰＣＣＨのＴＰＣ信号の送信電力を上げると、送信電力制御が終了でなければ（図８ステップＳ１６）、ステップＳ１１の処理に戻り、送信電力制御が終了であれば（図８ステップＳ１６）、その制御を終了する。
【００５７】
このように、本実施例では、複数の基地局１−１〜１−３とのＳＳＤＴ方式の電力制御において、さらにプライマリ・セルのＤＰＣＣＨのＴＰＣ信号の送信電力を上げることによって、ＴＰＣ誤判定を低減させることができる。
【００５８】
図９は本発明の別の実施例による複数の基地局とのソフトハンドオーバ時におけるＳＳＤＴ方式の電力制御の信号フォーマットを示す図であり、図１０は本発明の別の実施例による基地局におけるソフトハンドオーバ時の電力制御を示すフローチャートである。本発明の別の実施例は図１に示す本発明の一実施例による基地局と同様の構成となっており、図２に示す本発明の一実施例による送信電力制御システムと同様の構成となっている。これら図１と図２と図９と図１０とを参照して本発明の別の実施例による送信電力制御について説明する。以下、基地局１−１〜１−３を基地局１として説明する。
【００５９】
基地局１は送信電力制御を行う場合、移動機２からの品質情報を基に送信電力制御を行い（図１０ステップＳ２１）、移動機２に電力制御情報を通知する（図１０ステップＳ２２）。
【００６０】
移動機２は、上述したように、一番近い距離にありかつ下り通信受信レベルが最も大きい基地局をプライマリ・セルとし、他の基地局をノンプライマリ・セルとし、その判断結果を基地局１に対して上り通信によって通知する。この移動機におけるプライマり・セル及びノンプライマリ・セルの決定はＳＳＤＴ方式において公知であるので、その説明は省略する。
【００６１】
基地局１は移動機２からの通知がノンプライマリ・セルの場合（図１０ステップＳ２３）、移動機２へのＤＰＤＣＨの送信を切り、ＴＰＣビット及びＴＦＣＩ信号の送信を停止する［図９（ｂ），（ｃ）参照］（図１０ステップＳ２４）。
【００６２】
また、基地局１は移動機２からの通知がプライマリ・セルの場合（図１０ステップＳ２３）、移動機２へのＴＰＣ信号及びＴＦＣＩ信号の送信電力を上げる［図９（ａ）参照］（図１０ステップＳ２５）。
【００６３】
基地局１は移動機２へのＤＰＤＣＨの送信を切り、ＴＰＣビット及びＴＦＣＩ信号の送信を停止すると、あるいは移動機２へのＴＰＣ信号及びＴＦＣＩ信号の送信電力を上げると、送信電力制御が終了でなければ（図１０ステップＳ２６）、ステップＳ２１の処理に戻り、送信電力制御が終了であれば（図１０ステップＳ２６）、その制御を終了する。
【００６４】
このように、本実施例では、複数の基地局１−１〜１−３とのＳＳＤＴ方式の電力制御において、さらにノンプライマリ・セルのＤＰＣＣＨのＴＦＣＩ信号の送信をも切ることによって、基地局１−１〜１−３の送信電力を低減させることができる。また、本実施例では、ＴＦＣＩ信号の送信電力を上げることによって、ＴＦＣＩ受信誤りを低減させることができる。
【００６５】
上述したように、本発明は、複数の基地局１−１〜１−３と移動機２との接続時に有効な基地局（プライマリ・セル）以外の受信レベルの低い基地局（ノンプライマリ・セル）のＴＰＣビット送信を基地局１−１〜１−３側で止めることによって、移動機２のＴＰＣ誤判定を低減することができ、ＴＰＣ誤判定による上り送信電力の上限値への張り付きによる移動機２のバッテリの浪費を防ぐことができる。また、本発明では、下限値への張り付きによる基地局１−１〜１−３との通信の切断を防ぐことができる。
【００６６】
さらに、本発明は、複数の基地局１−１〜１−３と移動機２との接続時に有効な基地局（プライマリ・セル）以外の受信レベルの低い基地局（ノンプライマリ・セル）のＴＰＣビット送信を基地局１−１〜１−３側で止めることによって、ノンプライマリ・セルの容量劣化とともに、通信路の干渉の増大を防ぐことができる。
【図面の簡単な説明】
【００６７】
【図１】本発明の一実施例による基地局の構成を示すブロック図である。
【図２】本発明の一実施例による送信電力制御システムの構成を示すブロック図である。
【図３】Ｗ−ＣＤＭＡ方式を用いた携帯電話システムにおける個別下り物理チャネルの信号フレーム構成を示す図である。
【図４】複数の基地局とのソフトハンドオーバ時におけるＳＳＤＴ方式の電力制御の信号フォーマットを示す図である。
【図５】本発明の一実施例による複数の基地局と移動機とのソフトハンドオーバ時におけるＳＳＤＴ方式の電力制御の信号フォーマットを示す図である。
【図６】図１の基地局によるソフトハンドオーバ時の電力制御を示すフローチャートである。
【図７】本発明の他の実施例による複数の基地局とのソフトハンドオーバ時におけるＳＳＤＴ方式の電力制御の信号フォーマットを示す図である。
【図８】本発明の他の実施例による基地局におけるソフトハンドオーバ時の電力制御を示すフローチャートである。
【図９】本発明の別の実施例による複数の基地局とのソフトハンドオーバ時におけるＳＳＤＴ方式の電力制御の信号フォーマットを示す図である。
【図１０】本発明の別の実施例による基地局におけるソフトハンドオーバ時の電力制御を示すフローチャートである。
【符号の説明】
【００６８】
１，１−１〜１−３  基地局
２  移動機
１１  アンテナ
１２  送受信共用器
１３  受信部
１４  ユーザデータ分離部
１５  品質情報検出部
１６  送信制御部
１７  送信電力設定部
１８  変調符号化部
１９  信号合成部
２０  送信部
２１，３１，４１，５１  Ｄａｔａ＃１信号
２２，３２，４２，５２  ＴＦＣＩ信号
２３，３３，４３，５３  ＴＰＣ信号
２４，３４，４４，５４  Ｄａｔａ＃２信号
２５，３５，４５，５５  Ｐｉｌｏｔ信号
【図１】
2005277610.tif 000003
【図２】
2005277610.tif 000004
【図３】
2005277610.tif 000005
【図４】
2005277610.tif 000006
【図５】
2005277610.tif 000007
【図６】
2005277610.tif 000008
【図７】
2005277610.tif 000009
【図８】
2005277610.tif 000010
【図９】
2005277610.tif 000011
【図１０】
2005277610.tif 000012